(57)【要約】      （修正有）【課題】オス型コネクタの結合の前、オス型ブレード端子を外部の物体から保護するための方法。【解決手段】電気コネクタは、メス型コネクタ５０へのオス型コネクタ１０の結合の前、最中および後に1つまたは複数のオス型ブレード端子を外部の物体から保護するオス型ブレードスタビライザ３０を含むことができる。オス型ブレードスタビライザ３０は、オス型コネクタ１０のハウジング１２内に滑動可能に配置されることができ、かつメス型コネクタ５０がオス型コネクタ１０に結合されるときには引っ込むように、およびメス型コネクタ５０がオス型コネクタ１０から切り離されるときには伸長するように構成されることができる。レバー６０のレバーロック６２がメス型ハウジング５２とオス型ハウジング１２との係合によってプリセット位置まで弾性的に撓ませられるとき、オス型ブレードスタビライザ３０を伸長位置から引き込み位置まで動かすことができる。【選択図】図４
2018060784.tif 000002
【特許請求の範囲】
【請求項１】
オス型ハウジング、および該オス型ハウジングに回転可能に結合されたレバーを有し、該オス型ハウジングが、
1つまたは複数のオス型ブレード端子、および
該オス型ハウジングに対する伸長位置から該オス型ハウジングに対する引き込み位置まで動かすことができるオス型ブレードスタビライザ
を含み、該オス型ブレードスタビライザが1つまたは複数の開口を含み、該オス型ブレードスタビライザが該引き込み位置にあるとき該開口を通って該1つまたは複数のオス型ブレード端子それぞれが伸長し、該オス型ブレードスタビライザが該伸長位置にあるとき該オス型ブレードスタビライザが該1つまたは複数のオス型ブレード端子を保護し、該オス型ブレードスタビライザが保持機構を含み、
該レバーが、該レバーに対して弾性的に撓むことができるレバーロックを含み、該レバーロックが、該オス型ブレードスタビライザの該保持機構と選択的に係合して、該オス型ハウジングに対する該オス型ブレードスタビライザの動きを制限する、
オス型コネクタ；ならびに
該オス型コネクタと選択的に係合するように構成され、かつ該オス型コネクタの該オス型ハウジングと相補的なメス型ハウジングを有し、該メス型ハウジングが該オス型ハウジングの中にプリセット位置まで挿入されるとき、該メス型ハウジングが該レバーの該レバーロックを弾性的に撓ませる、
メス型コネクタ
を含む、コネクタアセンブリ。
【請求項２】
レバーロックが、オス型ブレードスタビライザの保持機構と選択的に係合する切欠き部を含む、請求項1記載のコネクタアセンブリ。
【請求項３】
レバーロックが、切欠き部によってオス型ブレードスタビライザの保持機構と係合するロック面をさらに含む、請求項2記載のコネクタアセンブリ。
【請求項４】
レバーロックが第一の傾斜面をさらに含み、メス型ハウジングがオス型ハウジングの中にプリセット位置まで挿入されるとき、該第一の傾斜面が該メス型ハウジングと係合して該レバーロックをレバーに対して弾性的に撓ませる、請求項3記載のコネクタアセンブリ。
【請求項５】
メス型ハウジングがオス型ハウジングと係合していないとき、レバーロックの第一の傾斜面の一部分が該オス型ハウジングと選択的に係合して該オス型ハウジングに対するレバーの回転を制限する、請求項4記載のコネクタアセンブリ。
【請求項６】
メス型ハウジングがオス型ハウジングの中にプリセット位置まで挿入されるとき、第一の傾斜面の前記一部分が該オス型ハウジングから係合解除される、請求項5記載のコネクタアセンブリ。
【請求項７】
オス型ハウジングに対するレバーの回転がメス型ハウジングをプリセット位置からフルセット位置まで駆動し、該メス型ハウジングが該フルセット位置にあるときオス型ブレードスタビライザが引き込み位置にある、請求項1記載のコネクタアセンブリ。
【請求項８】
オス型ハウジングが1つまたは複数の位置合わせ機構を含む、請求項1記載のコネクタアセンブリ。
【請求項９】
オス型ブレードスタビライザが伸長位置から引き込み位置まで動かされるとき、メス型ハウジングが前記1つまたは複数のオス型ブレード端子を覆う、請求項1記載のコネクタアセンブリ。
【請求項１０】
オス型ハウジングおよびメス型ハウジングが電気絶縁材料を含む、請求項1記載のコネクタアセンブリ。
【請求項１１】
オス型ハウジング、および該オス型ハウジングに回転可能に結合されたレバーを有し、該オス型ハウジングが、
1つまたは複数のオス型ブレード端子、および
該オス型ハウジングに対する伸長位置から該オス型ハウジングに対する引き込み位置まで動かすことができるオス型ブレードスタビライザ
を含み、該オス型ブレードスタビライザが該伸長位置にあるとき、該オス型ブレードスタビライザが該1つまたは複数のオス型ブレード端子を保護し、該オス型ブレードスタビライザが保持機構を含み、
該レバーが、該レバーに対して弾性的に撓むことができるレバーロックを含み、該レバーロックが、該オス型ブレードスタビライザの該保持機構と選択的に係合して、該オス型ハウジングに対する該オス型ブレードスタビライザの動きを制限し、該レバーロックが第一の傾斜面を含む、
オス型コネクタ；ならびに
該オス型コネクタと選択的に係合するように構成され、かつ該オス型コネクタの該オス型ハウジングと相補的なメス型ハウジングを有し、該メス型ハウジングが該オス型ハウジングの中にプリセット位置まで挿入されるとき、該メス型ハウジングが該第一の傾斜面と係合して該レバーロックを該レバーに対して弾性的に撓ませる、
メス型コネクタ
を含む、コネクタアセンブリ。
【請求項１２】
レバーロックが、オス型ブレードスタビライザの保持機構と選択的に係合する切欠き部を含む、請求項11記載のコネクタアセンブリ。
【請求項１３】
レバーロックが、切欠き部によってオス型ブレードスタビライザの保持機構と係合するロック面をさらに含む、請求項12記載のコネクタアセンブリ。
【請求項１４】
メス型ハウジングがオス型ハウジングと係合していないとき、レバーロックの第一の傾斜面の一部分が該オス型ハウジングと選択的に係合して該オス型ハウジングに対するレバーの回転を制限する、請求項11記載のコネクタアセンブリ。
【請求項１５】
メス型ハウジングがオス型ハウジングの中にプリセット位置まで挿入されるとき、第一の傾斜面の前記一部分が該オス型ハウジングから係合解除される、請求項11記載のコネクタアセンブリ。
【請求項１６】
オス型ハウジングに対するレバーの回転がメス型ハウジングをプリセット位置からフルセット位置まで駆動し、該メス型ハウジングが該フルセット位置にあるときオス型ブレードスタビライザが引き込み位置にある、請求項11記載のコネクタアセンブリ。
【請求項１７】
オス型ハウジングと、
1つまたは複数のオス型ブレード端子と、
該オス型ハウジングに対する伸長位置から該オス型ハウジングに対する引き込み位置まで動かすことができ、1つまたは複数の開口を含み、オス型ブレードスタビライザが該引き込み位置にあるとき該開口を通って該1つまたは複数のオス型ブレード端子それぞれが伸長し、該オス型ブレードスタビライザが該伸長位置にあるとき該オス型ブレードスタビライザが該1つまたは複数のオス型ブレード端子を保護し、該オス型ブレードスタビライザが保持機構を含む、該オス型ブレードスタビライザと、
レバーに対して弾性的に撓むことができるレバーロックを含み、該レバーロックが該オス型ブレードスタビライザの該保持機構と選択的に係合して、該オス型ハウジングに対する該オス型ブレードスタビライザの動きを制限する、該レバーと
を含み、メス型コネクタのメス型ハウジングが該オス型ハウジングとプリセット位置で係合するとき、該レバーの該レバーロックが該レバーに対して弾性的に撓む、
コネクタ。
【請求項１８】
レバーロックが、オス型ブレードスタビライザの保持機構と選択的に係合する切欠き部およびロック面を含む、請求項17記載のコネクタ。
【請求項１９】
レバーロックが第一の傾斜面をさらに含み、メス型ハウジングがオス型ハウジングの中にプリセット位置まで挿入されるとき、該第一の傾斜面が該メス型ハウジングと係合して該レバーロックをレバーに対して弾性的に撓ませる、請求項18記載のコネクタ。
【請求項２０】
メス型ハウジングがオス型ハウジングと係合していないとき、レバーロックの第一の傾斜面の一部分が該オス型ハウジングと選択的に係合して該オス型ハウジングに対するレバーの回転を制限し、該メス型ハウジングが該オス型ハウジングの中にプリセット位置まで挿入されるとき、該第一の傾斜面の該一部分が該オス型ハウジングから係合解除される、請求項17記載のコネクタ。
【発明の詳細な説明】
【技術分野】
【０００１】
本出願は概して、電気配線コネクタの分野に関し、より具体的には、選択的に係合可能なオス型ブレードスタビライザを有するコネクタに関する。
【背景技術】
【０００２】
データ、電流などを電気部品の間で流れさせるために様々な電気部品を結合、接合または電気的に接続するためには電気コネクタを使用することができる。たとえば、電気部品は1つまたは複数の電気ワイヤを含むことができ、これらが端子でいっしょに接合されることができる。端子は、対応する端子とオス・メス的に嵌まり合うように構成されることができる。オス型ブレード端子がメス型レセプタクル端子に挿入されて、オス型コネクタをメス型コネクタに電気的に結合する。いくつかの例において、自動車には、インライン電気コネクタをそのコンパクトなサイズゆえに使用することができる。インラインコネクタは、1つまたは複数のオス型ブレード端子を包囲するオス型ハウジングを有するオス型コネクタと、1つまたは複数のメス型レセプタクル端子を包囲するメス型ハウジングを有するメス型コネクタとを含むことができる。メス型コネクタがオス型コネクタに接続されると、オス型ブレード端子はメス型レセプタクル端子の中に配置されて、それにより、外部の物体、たとえば指および／またはオス型ブレード端子に接触し得る他の外部の物体への任意の暴露を制限する。しかし、オス型コネクタがメス型コネクタに結合されていないとき、オス型ブレード端子は外部の物体に暴露され得る。そのような暴露は、オス型ブレード端子に対する曲げ、折れまたは他の損傷を招き、それにより、コネクタの動作に潜在的に影響し得る。
【先行技術文献】
【特許文献】
【０００３】
【特許文献１】US 2002-0022391 A1
【特許文献２】US 2002-0182908 A1
【特許文献３】US 2003-0008537 A1
【特許文献４】US 6,692,274
【特許文献５】US 6,761,568
【特許文献６】US 7,134,901
【特許文献７】US 7,275,943
【特許文献８】US 7,396,240
【特許文献９】US 7,442,058
【特許文献１０】US 7,588,446
【特許文献１１】US 7,670,177
【特許文献１２】US 9,455,521
【発明の概要】
【０００４】
本明細書に記載される実施形態は、メス型コネクタへのオス型コネクタの結合の前、最中および後に、コネクタの1つまたは複数のオス型ブレード端子を外部の物体（たとえば指、屑など）から保護するためのシステムおよび方法に関する。オス型ブレードスタビライザが、オス型コネクタのハウジング内に滑動可能に配置されることができ、かつメス型コネクタがオス型コネクタに結合されるときには引っ込むように、およびメス型コネクタがオス型コネクタから切り離されるときには伸長するように構成されることができる。
【０００５】
1つの実施形態は、オス型ハウジングと、オス型ハウジングに回転可能に結合されたレバーとを有するオス型コネクタを含むコネクタアセンブリに関する。オス型ハウジングは、1つまたは複数のオス型ブレード端子と、オス型ハウジングに対する伸長位置からオス型ハウジングに対する引き込み位置まで動かすことができるオス型ブレードスタビライザとを含む。オス型ブレードスタビライザは1つまたは複数の開口を含み、オス型ブレードスタビライザが引き込み位置にあるとき、その開口を通って1つまたは複数のオス型ブレード端子それぞれが伸長する。オス型ブレードスタビライザが伸長位置にあるとき、オス型ブレードスタビライザは1つまたは複数のオス型ブレード端子を保護する。オス型ブレードスタビライザは保持機構を含む。オス型コネクタはまた、レバーを含み、レバーは、レバーに対して弾性的に撓むことができるレバーロックを含む。レバーロックは、オス型ブレードスタビライザの保持機構と選択的に係合可能であり、オス型ハウジングに対するオス型ブレードスタビライザの動きを制限する。コネクタアセンブリはさらに、オス型コネクタと選択的に係合するように構成され、かつオス型コネクタのオス型ハウジングと相補的なメス型ハウジングを有するメス型コネクタを含む。メス型ハウジングがオス型ハウジングの中にプリセット位置まで挿入されるとき、メス型ハウジングはレバーのレバーロックを弾性的に撓ませる。
【０００６】
いくつかの実施形態において、レバーロックは、オス型ブレードスタビライザの保持機構と選択的に係合する切欠き部を含む。レバーロックはさらに、切欠き部によってオス型ブレードスタビライザの保持機構と係合するロック面を含むことができる。また、レバーロックはさらに、メス型ハウジングがオス型ハウジングの中にプリセット位置まで挿入されるときメス型ハウジングと係合してレバーロックをレバーに対して弾性的に撓ませる第一の傾斜面を含むことができる。メス型ハウジングがオス型ハウジングと係合していないとき、レバーロックの第一の傾斜面の一部分がオス型ハウジングと選択的に係合してオス型ハウジングに対するレバーの回転を制限することができる。メス型ハウジングがオス型ハウジングの中にプリセット位置まで挿入されるとき、第一の傾斜面の一部分はオス型ハウジングから係合解除され得る。いくつかの実施形態において、オス型ハウジングに対するレバーの回転がメス型ハウジングをプリセット位置からフルセット位置まで駆動し、メス型ハウジングがフルセット位置にあるときオス型ブレードスタビライザは引き込み位置にある。いくつかの実施形態において、オス型ハウジングは1つまたは複数の位置合わせ機構を含む。いくつかの実施形態において、オス型ブレードスタビライザが伸長位置から引き込み位置まで動かされるとき、メス型ハウジングは1つまたは複数のオス型ブレード端子を覆う。いくつかの実施形態において、オス型ハウジングおよびメス型ハウジングは電気絶縁材料を含む。
【０００７】
もう1つの実施形態は、オス型ハウジングと、オス型ハウジングに回転可能に結合されたレバーとを有するオス型コネクタを含むコネクタアセンブリに関する。オス型ハウジングは、1つまたは複数のオス型ブレード端子と、オス型ハウジングに対する伸長位置からオス型ハウジングに対する引き込み位置まで動かすことができるオス型ブレードスタビライザとを含む。オス型ブレードスタビライザが伸長位置にあるとき、オス型ブレードスタビライザは1つまたは複数のオス型ブレード端子を保護する。オス型ブレードスタビライザは保持機構を含む。オス型コネクタはまた、レバーを含み、レバーは、レバーに対して弾性的に撓むことができるレバーロックを含む。レバーロックは、オス型ブレードスタビライザの保持機構と選択的に係合可能であり、オス型ハウジングに対するオス型ブレードスタビライザの動きを制限する。レバーロックは第一の傾斜面を含む。コネクタアセンブリはさらに、オス型コネクタと選択的に係合するように構成され、かつオス型コネクタのオス型ハウジングと相補的なメス型ハウジングを有するメス型コネクタを含む。メス型ハウジングがオス型ハウジングの中にプリセット位置まで挿入されるとき、メス型ハウジングは第一の傾斜面と係合してレバーのレバーロックを弾性的に撓ませる。
【０００８】
いくつかの実施形態において、レバーロックは、オス型ブレードスタビライザの保持機構と選択的に係合する切欠き部を含む。レバーロックはさらに、切欠き部によってオス型ブレードスタビライザの保持機構と係合するロック面を含むことができる。メス型ハウジングがオス型ハウジングと係合していないとき、レバーロックの第一の傾斜面の一部分がオス型ハウジングと選択的に係合してオス型ハウジングに対するレバーの回転を制限することができる。メス型ハウジングがオス型ハウジングの中にプリセット位置まで挿入されるとき、第一の傾斜面の一部分はオス型ハウジングから係合解除され得る。いくつかの実施形態において、オス型ハウジングに対するレバーの回転がメス型ハウジングをプリセット位置からフルセット位置まで駆動し、メス型ハウジングがフルセット位置にあるときオス型ブレードスタビライザは引き込み位置にある。
【０００９】
さらなる実施形態は、オス型ハウジングと、1つまたは複数のブレード端子と、オス型ブレードスタビライザと、レバーとを含むコネクタに関する。オス型ブレードスタビライザは、オス型ハウジングに対する伸長位置からオス型ハウジングに対する引き込み位置まで動かすことができる。オス型ブレードスタビライザは1つまたは複数の開口を含み、オス型ブレードスタビライザが引き込み位置にあるとき、その開口を通って1つまたは複数のオス型ブレード端子それぞれが伸長する。オス型ブレードスタビライザが伸長位置にあるとき、オス型ブレードスタビライザは1つまたは複数のオス型ブレード端子を保護する。オス型ブレードスタビライザは保持機構を含む。レバーは、レバーに対して弾性的に撓むことができるレバーロックを含む。レバーロックは、オス型ブレードスタビライザの保持機構と選択的に係合可能であり、オス型ハウジングに対するオス型ブレードスタビライザの動きを制限する。メス型コネクタのメス型ハウジングがオス型ハウジングとプリセット位置で係合するとき、レバーのレバーロックはレバーに対して弾性的に撓む。
【００１０】
いくつかの実施形態において、レバーロックは、オス型ブレードスタビライザの保持機構と選択的に係合する切欠き部およびロック面を含む。レバーロックはさらに、メス型ハウジングがオス型ハウジングの中にプリセット位置まで挿入されるときメス型ハウジングと係合してレバーロックをレバーに対して弾性的に撓ませる第一の傾斜面を含み得る。いくつかの実施形態において、メス型ハウジングがオス型ハウジングと係合していないとき、レバーロックの第一の傾斜面の一部分がオス型ハウジングと選択的に係合してオス型ハウジングに対するレバーの回転を制限する。メス型ハウジングがオス型ハウジングの中にプリセット位置まで挿入されるとき、第一の傾斜面の一部分はオス型ハウジングから係合解除される。
【００１１】
より具体的には、本発明は以下を提供する：
[1]  オス型ハウジング、および該オス型ハウジングに回転可能に結合されたレバーを有し、該オス型ハウジングが、
1つまたは複数のオス型ブレード端子、および
該オス型ハウジングに対する伸長位置から該オス型ハウジングに対する引き込み位置まで動かすことができるオス型ブレードスタビライザ
を含み、該オス型ブレードスタビライザが1つまたは複数の開口を含み、該オス型ブレードスタビライザが該引き込み位置にあるとき該開口を通って該1つまたは複数のオス型ブレード端子それぞれが伸長し、該オス型ブレードスタビライザが該伸長位置にあるとき該オス型ブレードスタビライザが該1つまたは複数のオス型ブレード端子を保護し、該オス型ブレードスタビライザが保持機構を含み、
該レバーが、該レバーに対して弾性的に撓むことができるレバーロックを含み、該レバーロックが、該オス型ブレードスタビライザの該保持機構と選択的に係合して、該オス型ハウジングに対する該オス型ブレードスタビライザの動きを制限する、
オス型コネクタ、ならびに
該オス型コネクタと選択的に係合するように構成され、かつ該オス型コネクタの該オス型ハウジングと相補的なメス型ハウジングを有し、該メス型ハウジングが該オス型ハウジングの中にプリセット位置まで挿入されるとき、該メス型ハウジングが該レバーの該レバーロックを弾性的に撓ませる、
メス型コネクタ
を含む、コネクタアセンブリ；
[2]  レバーロックが、オス型ブレードスタビライザの保持機構と選択的に係合する切欠き部を含む、[1]のコネクタアセンブリ；
[3]  レバーロックが、切欠き部によってオス型ブレードスタビライザの保持機構と係合するロック面をさらに含む、[2]のコネクタアセンブリ；
[4]  レバーロックが第一の傾斜面をさらに含み、メス型ハウジングがオス型ハウジングの中にプリセット位置まで挿入されるとき、該第一の傾斜面が該メス型ハウジングと係合して該レバーロックをレバーに対して弾性的に撓ませる、[3]のコネクタアセンブリ；
[5]  メス型ハウジングがオス型ハウジングと係合していないとき、レバーロックの第一の傾斜面の一部分が該オス型ハウジングと選択的に係合して該オス型ハウジングに対するレバーの回転を制限する、[4]のコネクタアセンブリ；
[6]  メス型ハウジングがオス型ハウジングの中にプリセット位置まで挿入されるとき、第一の傾斜面の前記一部分が該オス型ハウジングから係合解除される、[5]のコネクタアセンブリ；
[7]  オス型ハウジングに対するレバーの回転がメス型ハウジングをプリセット位置からフルセット位置まで駆動し、該メス型ハウジングが該フルセット位置にあるときオス型ブレードスタビライザが引き込み位置にある、[1]のコネクタアセンブリ；
[8]  オス型ハウジングが1つまたは複数の位置合わせ機構を含む、[1]のコネクタアセンブリ；
[9]  オス型ブレードスタビライザが伸長位置から引き込み位置まで動かされるとき、メス型ハウジングが前記1つまたは複数のオス型ブレード端子を覆う、[1]のコネクタアセンブリ；
[10]  オス型ハウジングおよびメス型ハウジングが電気絶縁材料を含む、[1]のコネクタアセンブリ；
[11]  オス型ハウジング、および該オス型ハウジングに回転可能に結合されたレバーを有し、該オス型ハウジングが、
1つまたは複数のオス型ブレード端子、および
該オス型ハウジングに対する伸長位置から該オス型ハウジングに対する引き込み位置まで動かすことができるオス型ブレードスタビライザ
を含み、該オス型ブレードスタビライザが該伸長位置にあるとき、該オス型ブレードスタビライザが該1つまたは複数のオス型ブレード端子を保護し、該オス型ブレードスタビライザが保持機構を含み、
該レバーが、該レバーに対して弾性的に撓むことができるレバーロックを含み、該レバーロックが、該オス型ブレードスタビライザの該保持機構と選択的に係合して、該オス型ハウジングに対する該オス型ブレードスタビライザの動きを制限し、該レバーロックが第一の傾斜面を含む、
オス型コネクタ、ならびに
該オス型コネクタと選択的に係合するように構成され、かつ該オス型コネクタの該オス型ハウジングと相補的なメス型ハウジングを有し、該メス型ハウジングが該オス型ハウジングの中にプリセット位置まで挿入されるとき、該メス型ハウジングが該第一の傾斜面と係合して該レバーロックを該レバーに対して弾性的に撓ませる、
メス型コネクタ
を含む、コネクタアセンブリ；
[12]  レバーロックが、オス型ブレードスタビライザの保持機構と選択的に係合する切欠き部を含む、[11]のコネクタアセンブリ；
[13]  レバーロックが、切欠き部によってオス型ブレードスタビライザの保持機構と係合するロック面をさらに含む、[12]のコネクタアセンブリ；
[14]  メス型ハウジングがオス型ハウジングと係合していないとき、レバーロックの第一の傾斜面の一部分が該オス型ハウジングと選択的に係合して該オス型ハウジングに対するレバーの回転を制限する、[11]のコネクタアセンブリ；
[15]  メス型ハウジングがオス型ハウジングの中にプリセット位置まで挿入されるとき、第一の傾斜面の前記一部分が該オス型ハウジングから係合解除される、[11]のコネクタアセンブリ；
[16]  オス型ハウジングに対するレバーの回転がメス型ハウジングをプリセット位置からフルセット位置まで駆動し、該メス型ハウジングが該フルセット位置にあるときオス型ブレードスタビライザが引き込み位置にある、[11]のコネクタアセンブリ；
[17]  オス型ハウジングと、
1つまたは複数のオス型ブレード端子と、
該オス型ハウジングに対する伸長位置から該オス型ハウジングに対する引き込み位置まで動かすことができ、1つまたは複数の開口を含み、オス型ブレードスタビライザが該引き込み位置にあるとき該開口を通って該1つまたは複数のオス型ブレード端子それぞれが伸長し、該オス型ブレードスタビライザが該伸長位置にあるとき該オス型ブレードスタビライザが該1つまたは複数のオス型ブレード端子を保護し、該オス型ブレードスタビライザが保持機構を含む、該オス型ブレードスタビライザと、
レバーに対して弾性的に撓むことができるレバーロックを含み、該レバーロックが該オス型ブレードスタビライザの該保持機構と選択的に係合して、該オス型ハウジングに対する該オス型ブレードスタビライザの動きを制限する、該レバーと
を含み、メス型コネクタのメス型ハウジングが該オス型ハウジングとプリセット位置で係合するとき、該レバーの該レバーロックが該レバーに対して弾性的に撓む、
コネクタ；
[18]  レバーロックが、オス型ブレードスタビライザの保持機構と選択的に係合する切欠き部およびロック面を含む、[17]のコネクタ；
[19]  レバーロックが第一の傾斜面をさらに含み、メス型ハウジングがオス型ハウジングの中にプリセット位置まで挿入されるとき、該第一の傾斜面が該メス型ハウジングと係合して該レバーロックをレバーに対して弾性的に撓ませる、[18]のコネクタ；および
[20]  メス型ハウジングがオス型ハウジングと係合していないとき、レバーロックの第一の傾斜面の一部分が該オス型ハウジングと選択的に係合して該オス型ハウジングに対するレバーの回転を制限し、該メス型ハウジングが該オス型ハウジングの中にプリセット位置まで挿入されるとき、該第一の傾斜面の該一部分が該オス型ハウジングから係合解除される、[17]のコネクタ。
【図面の簡単な説明】
【００１２】
1つまたは複数の実施形態の詳細が添付図面および以下の詳細な説明に記載される。本開示の他の特徴、局面および利点は、詳細な説明、図面および特許請求の範囲から明らかになるであろう。
【図１】メス型コネクタがオス型コネクタに結合されていないときの、1つまたは複数のオス型ブレード端子を保護するための伸長位置で示されたオス型ブレードスタビライザを有するオス型コネクタの水平断面の斜視図である。
【図２】オス型コネクタのハウジング内の、レバーと係合したオス型ブレードスタビライザを示す、図1のオス型コネクタの平断面図である。
【図３】メス型コネクタがはじめにオス型コネクタに結合されたときの、ハウジングの保持機構がメス型コネクタのハウジングの内側機構と係合している、図1のオス型コネクタの斜視断面図である。
【図４】オス型ブレードスタビライザが係合解除されたオス型コネクタのレバーの保持機構と係合するメス型コネクタのハウジングを示す、図3のオス型コネクタの一部分の平断面図である。
【図５】図4のオス型コネクタのレバーのレバーロックの一部分をさらに詳細に示す拡大図である。
【図６】レバーがプリセット位置にある、メス型コネクタに結合したオス型コネクタの斜視図である。
【００１３】
図面のいくつかまたはすべては説明のための概略図であることが理解されよう。図面は、特許請求の範囲または意味を限定するために使用されないという明確な理解のうえで、1つまたは複数の実施形態を説明するために提供されている。
【発明を実施するための形態】
【００１４】
詳細な説明
以下、メス型コネクタへのオス型コネクタの結合の前、最中および後に、コネクタの1つまたは複数のオス型ブレード端子を外部の物体から保護する方法、装置およびシステムに関する様々な概念および実施形態をより詳細に説明する。先に紹介し、以下さらに詳細に説明する様々な概念は、任意の特定の実現方法に限定されないため、数多くの方法のいずれでも実現され得る。具体的な実施形態および適用の例は、主として例示目的のために提供される。
【００１５】
図1〜2は、コネクタアセンブリのメス型コネクタ50（図3に示す）の相補的なメス型ハウジング52に結合するように構成されたオス型ハウジング12を含むコネクタアセンブリの例示的なオス型コネクタ10を示す。いくつかの実施形態において、オス型コネクタ10は、バッテリのワイヤの一部として形成されてもよいし、またはバッテリのワイヤに電気的に結合されてもよい。他の実施形態において、オス型コネクタ10は他の電子部品に電気的に結合されてもよい。オス型ハウジング12は、ポリマーのような適当な電気絶縁材料で構成されることができ、射出成形法のような任意の適当な技術によって製造されることができる。オス型ハウジング12は、1つまたは複数のオス型ブレード端子28を含み、1つまたは複数の位置合わせ機構14、たとえばメス型コネクタ50のメス型ハウジング52の相補的開口の中に挿入されるための縦方向に延びるレールまたは棚状部を含むことができる。
【００１６】
オス型ハウジング12はまた、オス型ハウジング12内に伸長位置で配置された状態で示されたオス型ブレードスタビライザ30を含み、1つまたは複数のオス型ブレード端子28が1つまたは複数の開口32内に配置され、オス型ブレードスタビライザ30によって保護されるようになっている。図示するように、1つまたは複数のオス型ブレード端子28は1つまたは複数の開口32から突出して、試験および／またはメス型コネクタ50のメス型端子への初期接続を許すことができる。いくつかの実施形態において、1つまたは複数の開口32は、オス型コネクタ10を解体することなく1つまたは複数のオス型ブレード端子28の試験および／または点検を可能にするために、アクセスホールを含んでもよいし、または他のやり方で、1つまたは複数のオス型ブレード端子28よりも大きくサイズ決めされてもよい。図3〜4および6に示すように、はじめにメス型コネクタ50がオス型コネクタ10の中にプリセット位置で挿入されると、1つまたは複数のオス型ブレード端子28の突出部が1つまたは複数の相補的メス型端子への電気的結合を可能にし、その後、オス型コネクタ10のレバー60を動かすと、オス型コネクタ10がメス型コネクタ50とフルセット位置で完全に係合する。図示する実施形態において、オス型コネクタ10がメス型コネクタ50から係合解除されると、オス型ブレードスタビライザ30が1つまたは複数のオス型ブレード端子28を実質的に覆って、1つまたは複数のオス型ブレード端子28への屑または損傷の危険を減らす。オス型ブレードスタビライザ30もまた、ポリマーのような適当な電気絶縁材料で構成されることができ、射出成形法のような任意の適当な技術によって製造されることができる。オス型ブレードスタビライザ30は外面34を含み、1つまたは複数の開口32がその外面を通って延びて、その開口を通ってオス型ブレード端子28が選択的に伸長することを許す。オス型ブレードスタビライザ30はボディ部分36（図2〜4に示す）を含み、1つまたは複数の開口32が同じくそのボディ部分を通って延び、ボディ部分は、オス型ブレードスタビライザ30が伸長位置および／または引き込み位置にあるときオス型ブレード端子28のためのさらなる支持を提供するようにサイズ決めされ得る。
【００１７】
上記のように、レバー60がオス型ハウジング12に回転可能に結合されている。レバー60は、メス型コネクタ50がオス型コネクタ10に嵌め合わされるときに沿う縦軸に対して垂直な軸を中心に回転するように構成されている。レバー60は、メス型コネクタ50の1つまたは複数の突出部または他の機構と係合して、オス型コネクタ10とメス型コネクタ50とをいっしょに駆動する。たとえば、レバー60は、メス型コネクタ50がはじめにオス型コネクタ10とプリセット位置で係合するときメス型コネクタ50の突出部がはじめに入り得るアーチ形の切欠き付き経路（たとえば内側にらせん形）を含み得る。レバー60が、たとえばオス型ハウジング12に対して回されることによって動かされると、アーチ形の切欠き付き経路はメス型コネクタ50の突出部と係合して、レバー60が回されるときメス型コネクタ50をオス型コネクタ10の方向に駆動することができる。当然、オス型コネクタ10およびメス型コネクタ50をプリセット位置から互いの方向に駆動するためのレバー60の他の機構、たとえばペグ・ホール設計、レバー・支点なども実現されてもよい。
【００１８】
図3〜6にさらに詳細に示すように、レバー60は、オス型ブレードスタビライザ30の保持機構38と係合するレバーロック62を含む。いくつかの実施形態において、レバーロック62はまた、オス型ハウジング12と係合して、オス型ハウジング12に対するレバー60の回転を防止および／または制限し得る。図5に明確に示すように、レバーロック62は、レバー60に弾性的に結合されている主ボディ64、たとえば成形ポリマー部品を含む。主ボディ64は、第一の傾斜面66、切欠き部68および保持突出部70を含む。第一の傾斜面66は、メス型コネクタ50がオス型コネクタ10のオス型ハウジング12に挿入されるときメス型ハウジング52の一部分と係合し、それから離れる方向に弾性的に撓むように構成されている。いくつかの実施形態において、第一の傾斜面66の一部分はまた、オス型ハウジング12中の開口または切欠き部と係合して、メス型コネクタ50がプリセット位置にないときオス型ハウジング12に対するレバー60の動きを制限または限定するように構成されてもよい。
【００１９】
切欠き部68は、第一の傾斜面66に対して末端側にあり、メス型ハウジング52がオス型ハウジング12に挿入されていないとき伸長位置でオス型ブレードスタビライザ30の保持機構38と係合し、それを保持するように構成されている。レバーロック62の切欠き部68は、オス型ブレードスタビライザ30がオス型ハウジング12に対して縦方向外向きまたは基部方向に動くことを防止および／または制限することができる。保持突出部70は、メス型ハウジング52がオス型ハウジング12に挿入されていないときオス型ブレードスタビライザ30の保持機構38がオス型ハウジング12に対して縦方向または末端方向に伸長位置から引き込み位置まで動くことの動作を制限するために、切欠き部68とともにロック面72を形成する。図5に示すロック面72は平坦な壁であり、メス型ハウジング52がオス型ハウジング12に挿入されていないとき、オス型ブレードスタビライザ30の保持機構38がこの壁に当接する。したがって、平坦な壁は、オス型ハウジング12に対するオス型ブレードスタビライザ30の末端方向移動に対する実質的な抵抗を提供することができる。したがって、プリセット位置において、オス型ブレードスタビライザ30は、切欠き部68およびロック面72の両方がオス型ブレードスタビライザ30の保持機構38と対抗することにより、縦方向に動かないように協働的に保持される。オス型ブレードスタビライザ30はさらに、オス型ハウジング12によって横方向または垂直方向に動くことを阻止される。したがって、メス型コネクタ50がオス型コネクタ10と係合するまで、オス型ブレードスタビライザ30はプリセット位置に保持されて、1つまたは複数のオス型ブレード端子28を覆い、保護する。保持突出部70はまた、メス型ハウジング52がオス型ハウジング12から係合解除されたのちオス型ブレードスタビライザ30の保持機構38が引き込み位置から伸長位置へと戻ることを許す第二の傾斜面74を含む。
【００２０】
概して図3〜6を参照すると、図3〜4に示すようにメス型コネクタ50をオス型コネクタ10の中にプリセット位置まで挿入することにより、メス型コネクタ50のメス型ハウジング52ははじめにオス型コネクタ10のオス型ハウジング12と係合する。メス型ハウジング52がプリセット位置まで挿入されるとき、メス型ハウジング52はレバーロック62の第一の傾斜面64と係合して、図5に示すようにロック面72がオス型ブレードスタビライザ30の保持機構38を通り過ぎるまで、レバーロック62を弾性的に撓ませてメス型ハウジング52の一部分から離れさせる。いくつかの実施形態において、第一の傾斜面66はまた、オス型ハウジング12に対するレバー60の動きを制限または限定するオス型ハウジング12中の開口または切欠き部を通り過ぎ得る。
【００２１】
ひとたびロック面72がオス型ブレードスタビライザ30の保持機構38から係合解除され、それを通り過ぎたならば、オス型ブレードスタビライザ30をオス型ハウジング12に対して縦方向または末端方向に動かして、オス型ブレードスタビライザ30が伸長位置にあったときオス型ブレードスタビライザ30によって以前に保護されていた1つまたは複数のオス型ブレード端子28のボディのより多くを露出させることができる。オス型ブレードスタビライザ30が末端方向に動くときメス型コネクタ50がオス型コネクタ10と係合するため、メス型ハウジング52は1つまたは複数のオス型ブレード端子28を覆い、保護する。
【００２２】
メス型コネクタ50およびオス型コネクタ10がプリセット位置に配置されたのち、レバー60を回転させ得る。レバー60の回転がメス型コネクタ50とオス型コネクタ10とをいっしょに駆動して、メス型コネクタ50とオス型コネクタ10とをいっしょにフルセット位置でさらに着座させ、電気的に結合し、ロックする。いくつかの実施形態において、レバー60は、メス型コネクタ50およびオス型コネクタ10をフルセット位置に維持するために、ロックされるかまたは他のやり方で固定されることができる。
【００２３】
オス型コネクタ10とメス型コネクタ50とを切り離すときには、レバー60を反対方向に回転させて、メス型コネクタ50およびオス型コネクタ10を互いから離れる方向に駆動する。いくつかの実施形態において、レバーロック62は、オス型ブレードスタビライザの保持機構38と係合し、それをオス型ハウジング12に対して縦方向外向きまたは基部方向に駆動するための、保持突出部70に隣接する（たとえばらせんを描く）、またはその近くのアーチ形の傾斜面を含むことができる。すなわち、レバー60が回されてメス型コネクタ50がオス型コネクタ10から係合解除されるとき、アーチ形の傾斜面は、オス型ブレードスタビライザ30をオス型ハウジング12に対して外向きに押すことができる。したがって、保持機構38およびオス型ブレードスタビライザ30は、図5に示すプリセット位置に戻ることができる。メス型ハウジング52がオス型ハウジング12から取り外されると、レバーロック70は、図1〜2に示すようなロック位置へと弾性的に戻る。したがって、メス型コネクタ50が切り離されたのち、オス型ブレードスタビライザ30は伸長位置に戻り、レバーロック70の切欠き部68の中に固定されることができる。
【００２４】
オス型ブレードスタビライザ30の保持機構38とのレバーロック70の係合は、好都合にも、レバーロック70の弾性変形を利用してオス型ブレードスタビライザ30の保持機構38を固定および解放することにより、メス型コネクタ50をオス型コネクタ10に結合するために必要な接続力を減らす。したがって、接続力はレバーロック70を撓ませるだけでよく、切欠き部68およびロック面72とオス型ブレードスタビライザ30の保持機構38との係合に打ち勝つ必要はないため、切欠き部68およびロック面72は、オス型ブレードスタビライザ30の動きをより確実に保持し、制限するように構成されることができる。さらに、オス型ブレードスタビライザ30は保持のためにより少ない機構しか利用しないため、レバーロック70は、オス型ブレードスタビライザ30のためにより少ない材料を使用することを可能にする。加えて、オス型ブレードスタビライザ30および／またはアクセスホールからの1つまたは複数のオス型ブレード端子28の突出が、オス型コネクタ10の解体を要することなく、1つまたは複数のオス型ブレード端子28の試験を可能にする。なおさらに、1つまたは複数のオス型ブレード端子28は、オス型ブレードスタビライザ30によってまっすぐには保持されず、オス型ブレードスタビライザ30は、スクープまたはフィンガプルーフ保護を提供しない。むしろ、オス型ブレードスタビライザ30は、1つまたは複数のオス型ブレード端子28を嵌め合い可能に許容可能な位置に配置する。
【００２５】
上記特徴は様々な実施形態を有することができる。たとえば、コネクタアセンブリは、オス型ハウジングと、オス型ハウジングに回転可能に結合されたレバーとを有するオス型コネクタを含むことができる。オス型ハウジングは、1つまたは複数のオス型ブレード端子と、オス型ハウジングに対する伸長位置からオス型ハウジングに対する引き込み位置まで動かすことができるオス型ブレードスタビライザとを含む。オス型ブレードスタビライザは1つまたは複数の開口を含み、オス型ブレードスタビライザが引き込み位置にあるとき、その開口を通って1つまたは複数のブレード端子それぞれが伸長する。オス型ブレードスタビライザが伸長位置にあるとき、オス型ブレードスタビライザは1つまたは複数のオス型ブレード端子を保護する。オス型ブレードスタビライザは保持機構を含む。オス型コネクタはまた、レバーを含み、レバーは、レバーに対して弾性的に撓むことができるレバーロックを含む。レバーロックは、オス型ブレードスタビライザの保持機構と選択的に係合可能であり、オス型ハウジングに対するオス型ブレードスタビライザの動きを制限する。コネクタアセンブリはさらに、オス型コネクタと選択的に係合するように構成され、かつオス型コネクタのオス型ハウジングと相補的なメス型ハウジングを有するメス型コネクタを含む。メス型ハウジングがオス型ハウジングの中にプリセット位置まで挿入されるとき、メス型ハウジングはレバーのレバーロックを弾性的に撓ませる。
【００２６】
いくつかの実施形態において、レバーロックは、オス型ブレードスタビライザの保持機構と選択的に係合する切欠き部を含む。レバーロックはさらに、切欠き部によってオス型ブレードスタビライザの保持機構と係合するロック面を含むことができる。また、レバーロックはさらに、メス型ハウジングがオス型ハウジングの中にプリセット位置まで挿入されるときメス型ハウジングと係合してレバーロックをレバーに対して弾性的に撓ませる第一の傾斜面を含むことができる。メス型ハウジングがオス型ハウジングと係合していないとき、レバーロックの第一の傾斜面の一部分がオス型ハウジングと選択的に係合してオス型ハウジングに対するレバーの回転を制限することができる。メス型ハウジングがオス型ハウジングの中にプリセット位置まで挿入されるとき、第一の傾斜面の一部分はオス型ハウジングから係合解除され得る。いくつかの実施形態において、オス型ハウジングに対するレバーの回転がメス型ハウジングをプリセット位置からフルセット位置まで駆動し、メス型ハウジングがフルセット位置にあるときオス型ブレードスタビライザは引き込み位置にある。いくつかの実施形態において、オス型ハウジングは1つまたは複数の位置合わせ機構を含む。いくつかの実施形態において、オス型ブレードスタビライザが伸長位置から引き込み位置まで動かされるとき、メス型ハウジングは1つまたは複数のオス型ブレード端子を覆う。いくつかの実施形態において、オス型ハウジングおよびメス型ハウジングは電気絶縁材料を含む。
【００２７】
もう1つのコネクタアセンブリは、オス型ハウジングと、オス型ハウジングに回転可能に結合されたレバーとを有するオス型コネクタを含むことができる。オス型ハウジングは、1つまたは複数のオス型ブレード端子と、オス型ハウジングに対する伸長位置からオス型ハウジングに対する引き込み位置まで動かすことができるオス型ブレードスタビライザとを含む。オス型ブレードスタビライザが伸長位置にあるとき、オス型ブレードスタビライザは1つまたは複数のオス型ブレード端子を保護する。オス型ブレードスタビライザは保持機構を含む。オス型コネクタはまた、レバーを含み、レバーは、レバーに対して弾性的に撓むことができるレバーロックを含む。レバーロックは、オス型ブレードスタビライザの保持機構と選択的に係合可能であり、オス型ハウジングに対するオス型ブレードスタビライザの動きを制限する。レバーロックは第一の傾斜面を含む。コネクタアセンブリはさらに、オス型コネクタと選択的に係合するように構成され、かつオス型コネクタのオス型ハウジングと相補的なメス型ハウジングを有するメス型コネクタを含む。メス型ハウジングがオス型ハウジングの中にプリセット位置まで挿入されるとき、メス型ハウジングは第一の傾斜面と係合してレバーのレバーロックを弾性的に撓ませる。
【００２８】
いくつかの実施形態において、レバーロックは、オス型ブレードスタビライザの保持機構と選択的に係合する切欠き部を含む。レバーロックはさらに、切欠き部によってオス型ブレードスタビライザの保持機構と係合するロック面を含むことができる。メス型ハウジングがオス型ハウジングと係合していないとき、レバーロックの第一の傾斜面の一部分がオス型ハウジングと選択的に係合してオス型ハウジングに対するレバーの回転を制限することができる。メス型ハウジングがオス型ハウジングの中にプリセット位置まで挿入されるとき、第一の傾斜面の一部分はオス型ハウジングから係合解除され得る。いくつかの実施形態において、オス型ハウジングに対するレバーの回転がメス型ハウジングをプリセット位置からフルセット位置まで駆動し、メス型ハウジングがフルセット位置にあるときオス型ブレードスタビライザは引き込み位置にある。
【００２９】
コネクタは、オス型ハウジングと、1つまたは複数のブレード端子と、オス型ブレードスタビライザと、レバーとを含むことができる。オス型ブレードスタビライザは、オス型ハウジングに対する伸長位置からオス型ハウジングに対する引き込み位置まで動かすことができる。オス型ブレードスタビライザは1つまたは複数の開口を含み、オス型ブレードスタビライザが引き込み位置にあるとき、その開口を通って1つまたは複数のオス型ブレード端子それぞれが伸長する。オス型ブレードスタビライザが伸長位置にあるとき、オス型ブレードスタビライザは1つまたは複数のオス型ブレード端子を保護する。オス型ブレードスタビライザは保持機構を含む。レバーは、レバーに対して弾性的に撓むことができるレバーロックを含む。レバーロックは、オス型ブレードスタビライザの保持機構と選択的に係合可能であり、オス型ハウジングに対するオス型ブレードスタビライザの動きを制限する。メス型コネクタのメス型ハウジングがオス型ハウジングとプリセット位置で係合するとき、レバーのレバーロックはレバーに対して弾性的に撓む。
【００３０】
いくつかの実施形態において、レバーロックは、オス型ブレードスタビライザの保持機構と選択的に係合する切欠き部およびロック面を含む。レバーロックはさらに、メス型ハウジングがオス型ハウジングの中にプリセット位置まで挿入されるときメス型ハウジングと係合してレバーロックをレバーに対して弾性的に撓ませる第一の傾斜面を含み得る。いくつかの実施形態において、メス型ハウジングがオス型ハウジングと係合していないとき、レバーロックの第一の傾斜面の一部分がオス型ハウジングと選択的に係合してオス型ハウジングに対するレバーの回転を制限する。メス型ハウジングがオス型ハウジングの中にプリセット位置まで挿入されるとき、第一の傾斜面の一部分はオス型ハウジングから係合解除される。
【００３１】
本明細書は多くの具体的な実施形態の詳細を含むが、それらは、特許請求され得るものの範囲に対する限定と解釈されるべきではなく、むしろ、特定の実施形態に特異的な特徴の説明と解釈されるべきである。また、別々の実施形態に関して本明細書に記載された特定の特徴が組み合わされて1つの実施形態として実現されることもできる。逆に、1つの実施形態に関して記載された様々な特徴が、別々に、または任意の適当な部分的組み合わせで、複数の実施形態として実現されることもできる。そのうえ、特徴は、特定の組み合わせにおいて作用するものとして記載され、はじめにそのようなものとして特許請求され得るが、特許請求される組み合わせからの1つまたは複数の特徴が、いくつかの場合、その組み合わせから切り離されることができ、特許請求される組み合わせは、部分的組み合わせまたは部分的組み合わせの変形に関することもあり得る。
【００３２】
同様に、図面には操作が特定の順序で示されているが、これは、所望の結果を達成するために、そのような操作が示される特定の順番または順序で実行されること、あるいは説明される操作がすべて実行されることを要するものと理解されるべきではない。特定の状況において、上記実施形態における様々なシステムコンポーネントの分離は、すべての実施形態においてそのような分離を要するものと理解されるべきではなく、記載されたコンポーネントおよびシステムが概して、1つの製品へと統合されることもできるし、または複数の製品としてパッケージングされることもできることが理解されるべきである。
【００３３】
本明細書の中で使用される用語「概ね」、「約」、「実質的に」および類似の用語は、本開示の主題が関連する技術分野の当業者による一般的かつ受け入れられた用法と調和する広い意味を有することを意図したものである。本開示を考察する当業者には、これらの語が、記載され、特許請求される特定の特徴の説明を可能にすることを意図したものであり、それらの特徴の範囲を、提供されたとおりの精密な数値範囲に限定することを意図したものではないことが理解されよう。したがって、これらの語は、記載され、特許請求される主題の非実質的または些細な修飾または変形が、特許請求の範囲に記載される発明の範囲内であるとみなされるべきであることを示すものと解釈されるべきである。加えて、特許請求の範囲における限定は、その中で「手段」が使用されていない場合、米国特許法の下で「手段＋機能」限定を構成するものと解釈されるべきではないことが留意されよう。
【００３４】
本明細書の中で使用される用語「結合された」、「接続された」などは、二つの部品の互いに対する直接的または間接的な接合を意味する。そのような接合は、静止的（たとえば永久的）であってもよいし、または可動的（たとえば取り外し可能または解放可能）であってもよい。そのような接合は、二つの部品または二つの部品および任意のさらなる中間部品が互いと単一ボディとして一体に形成されることによって達成されてもよいし、あるいは二つの部品または二つの部品および任意のさらなる部品が互いに取り付けられることによって達成されてもよい。
【００３５】
様々な例示的実施形態において示されるシステムの構成および配置は単に例示的であり、限定的な性質のものではないことに留意することが重要である。記載される実施形態の精神および／または範囲に入るすべて変更および修飾が保護されることが望ましい。いくつかの特徴は必要ではないこともあり、様々な特徴を欠く実施形態もまた、以下の特許請求の範囲によって画定される本出願の範囲内であると考慮され得ることが理解されるべきである。特許請求の範囲を読む中で、「1つの」、「少なくとも1つの」または「少なくとも1つの部分」のような語句が使用されている場合、請求を1つの単位体に限定する意図はない（請求項の中でそうではない旨が明確に述べられない限り）。「少なくとも一部分」および／または「一部分」という文言が使用されているとき、その単位体は、単位体の一部分および／または全部を含むことができる（そうではない旨が明確に述べられない限り）。
【符号の説明】
【００３６】
１０  オス型コネクタ
１２  オス型ハウジング
１４  位置合わせ機構
２８  オス型ブレード端子
３０  オス型ブレードスタビライザ
３２  開口
３４  外面
３６  ボディ部分
３８  保持機構
５０  メス型コネクタ
５２  メス型ハウジング
６０  レバー
６２  レバーロック
６４  主ボディ
６６  第一の傾斜面
６８  切欠き部
７０  保持突出部
７２  ロック面
７４  第二の傾斜面
【図１】
2018060784.tif 000003
【図２】
2018060784.tif 000004
【図３】
2018060784.tif 000005
【図４】
2018060784.tif 000006
【図５】
2018060784.tif 000007
【図６】
2018060784.tif 000008
【外国語明細書】
2018060784000001.pdf